(57)【要約】【課題】  交換レンズに故障が生じた場合に撮影禁止となってしまい、撮影の機会を逃してしまう。【解決手段】    交換レンズにカメラ判別手段と故障判別手段を設け、旧カメラには故障判別による故障の度合いに応じてレリーズロック要求を送信しないようにすると共に、新しいカメラには故障情報を通信する構成とした。また、カメラ本体に交換レンズ判別手段を設け、旧レンズがレリーズロック要求を送信してきても無視するようにユーザにて設定可能とし、新レンズの場合には故障情報通信を行って故障情報を受信し、故障に応じてカメラの動作を変更するようにした。更に、故障に対する動作をユーザが設定可能とした。【選択図】  図３
2006208741.tif 000002
【特許請求の範囲】
【請求項１】
カメラ本体との通信手段と、
カメラ本体との通信によって得られた情報からカメラ本体を判別するカメラ判別手段と、
交換レンズ内の故障を検出し検出した故障を判別する故障判別手段と、
故障判別手段によって判別された故障情報をカメラ本体へ送信する故障情報送信手段と、
カメラ判別手段の結果に基づいて、上記故障情報を送信するか否かを切り替える切り替え手段と
を有することを特徴とする交換レンズ。
【請求項２】
交換レンズとの通信手段と、
交換レンズとの通信によって得られた情報から交換レンズを判別する交換レンズ判別手段、および交換レンズ内の故障情報を受信する故障情報受信手段と、
交換レンズ判別手段の結果に基づいて、上記故障情報を受信するか否かを切り替える切り替え手段と、
故障情報受信手段によって受信した故障情報に基づいてカメラの動作を変更する動作変更手段とを備えたことを特徴とするカメラ本体。
【請求項３】
故障情報受信手段によって受信した故障情報に基づいて使用者に警告を行う警告手段をさらに有することを特徴とする請求項２に記載のカメラ本体。
【請求項４】
交換レンズから受信した故障情報に基づく警告、および動作を使用者が設定または選択する手段を備えたことを特徴とする請求項３に記載のカメラ本体。
【請求項５】
請求項１に記載の交換レンズ、および請求項２、３または４に記載のカメラ本体の少なくとも一方を含むことを特徴とするカメラシステム。
【発明の詳細な説明】
【技術分野】
【０００１】
本発明は、カメラ本体、交換レンズ、それらからなるカメラシステムなどの技術に関するものである。
【背景技術】
【０００２】
従来よりカメラ本体と交換レンズからなるカメラシステムが知られている。更に、交換レンズ内の情報をカメラ本体に送信し、カメラ本体はその情報に基づいて交換レンズ内の絞りやフォーカス用のレンズを駆動するためのコマンドを通信し交換レンズを制御するカメラシステムが知られている。これらのカメラシステムは、カメラ本体の故障のみでなく交換レンズに故障が発生した場合にも、正常な撮影の続行が不可能になるとして、故障表示を行うと共に、カメラを撮影禁止（レリーズロック）とするのが一般的である。
しかしながら、交換レンズに関する故障に関しては撮影にとって致命的な悪影響を及ぼす故障と、比較的撮影に影響の少ない故障があり、これら影響の少ない故障の際にも撮影禁止（レリーズロック）とするのは、撮影の機会を逃してしまうといった問題があった。
【０００３】
このような問題を解決するため、特許文献１にはカメラ内の防振システムの故障時にも撮影禁止（レリーズロック）とすることなく撮影が継続できるようにしたカメラが提案されている。また、特許文献１には防振システムが故障した際にカメラの動作を変更し、出来るだけ手振れによる像劣化を抑える方法についても記載されている。
【特許文献１】特開平１１−０８４４４５号公報
【発明の開示】
【発明が解決しようとする課題】
【０００４】
上記特許文献１では防振システムの故障に関しての場合についてはレリーズロックしない旨が記載されているが、その他の故障が発生した時にはレリーズロックしてしまう。また、特許文献１の実施例はレンズ一体型カメラについて記載されており、交換レンズとカメラ本体からなる一眼レフカメラタイプのカメラシステムに関しては詳細な記載はなく、カメラシステムにおける問題点については言及がない。カメラシステムでは、新たな通信を定義して例えば交換レンズの故障に対する情報をやり取りすることが可能となるが、それ以前に発売されているカメラ本体や交換レンズにおいては新たな通信に対応することは出来ない。そのため未対応のカメラ本体との組み合わせ時にも不具合なく動作する交換レンズ、または、未対応の交換レンズと組み合わされた場合にも不具合なく動作するカメラ本体が求められる。
【０００５】
本発明の課題は、交換レンズに故障が生じた場合でも撮影を続けることが可能で、撮影の機会を逃すことが少なく、かつ従来のカメラ本体と組み合わせ可能な交換レンズまたは従来の交換レンズと組み合わせ可能なカメラ本体、およびこれらのカメラ本体または交換レンズを含むカメラシステムを提供することにある。
すなわち、本発明の例示的な課題は、新たな通信に未対応のカメラ本体との組み合わせにおいても故障が発生した場合にレリーズロックすることなく撮影が可能で、新たな通信に対応したカメラとの組み合わせにおいては新たな通信により故障の情報をカメラ本体へ通信することが可能となる交換レンズを提供することである。また、新たな通信に未対応の交換レンズとの組み合わせにおいてもレリーズロックすることなく撮影が可能で、新たな通信に対応した交換レンズとの組み合わせにおいては新たな通信により故障の情報を交換レンズから受信することが可能となるカメラ本体を提供することである。更に、交換レンズに故障が生じた場合においてもカメラ本体の撮影が可能で、交換レンズの故障に応じた動作をカメラ本体が行うことにより、交換レンズの故障による撮影への影響を最小限に抑えることが可能なカメラシステムを提供することにある。
【課題を解決するための手段】
【０００６】
上記の課題を解決するために、本発明の交換レンズは、カメラ本体との通信手段と、カメラ本体との通信によって得られた情報からカメラ本体を判別するカメラ判別手段と、交換レンズ内の故障を検出し検出した故障を判別する故障判別手段と、故障判別手段によって判別された故障情報をカメラ本体へ送信する故障情報送信手段と、カメラ判別手段の結果に基づいて、上記故障情報を送信するか否かを切り替える切り替え手段とを有することを特徴とする。
【０００７】
本発明のカメラ本体は、交換レンズとの通信手段と、交換レンズとの通信によって得られた情報から交換レンズを判別する交換レンズ判別手段、および交換レンズ内の故障情報を受信する故障情報受信手段と、交換レンズ判別手段の結果に基づいて、上記故障情報を受信するか否かを切り替える切り替え手段と、故障情報受信手段によって受信した故障情報に基づいてカメラの動作を変更する動作変更手段とを備えたことを特徴とする。
このカメラ本体は、故障情報受信手段によって受信した故障情報に基づいて使用者（ユーザ）に警告を行う警告手段を有することが好ましい。その場合、交換レンズから受信した故障情報に基づく警告、および動作を使用者が設定または選択する手段を設けることがさらに好ましい。
【０００８】
本発明のカメラシステムは、上記の交換レンズ、およびカメラ本体の少なくとも一方を含むことを特徴とする。
【発明の効果】
【０００９】
本発明によれば、交換レンズに故障が生じた場合でも撮影を続けることが可能となり撮影の機会を逃すことが少なくなる。更に、故障に応じてカメラ側の処理を変更するので故障による悪影響を最小限に抑えることが可能となる。また、各故障に対する撮影禁止または許可をユーザにより設定できるようにしたので交換レンズの故障による撮影の中断を少なくすることができる。
本発明の更なる目的またはその他の特徴は、以下、添付の図面を参照して説明される好ましい実施例等によって明らかにされるであろう。
【発明を実施するための最良の形態】
【００１０】
以下、本発明の好ましい実施の形態を図示の実施例に基づいて詳細に説明する。
図１は本発明の一実施例に係る一眼レフカメラの回路構成を示すブロック図である。同図において１００は交換レンズ、２００はカメラ本体である。１０２はレンズマイコンであり、カメラ本体２００側から通信用の接点１１５ａ（クロック信号用）、１１５ｂ（カメラ本体→レンズ信号伝達用）、１１５ｃ（レンズ→カメラ本体信号伝達用）を通じて通信を行い、その指令値によって、図１に示したような構成より成る振れ補正系１０９、フォーカス系１０３、絞り系１０４の動作を行わせる。前記振れ補正系１０９は、振れを検知する振れセンサ１１１、不図示の補正レンズ変位検出用の位置センサ１１２、および、前記振れセンサ１１１と位置センサ１１２の出力を基にレンズマイコン１０２にて算出された制御信号によって不図示の補正レンズを駆動して振れ補正動作を行う振れ補正駆動系１１０から成る。
１１３（ＩＳ＿ＳＷ）は振れ補正動作を選択する為の防振スイッチであり、振れ補正動作を選択する場合はこの防振スイッチ１１３をＯＮにする。
【００１１】
前記フォーカス系１０３は、不図示の焦点調節用レンズを駆動するためのフォーカス駆動系１０５と、焦点調節用レンズの位置を検出する位置センサ１０６から成り、レンズマイコン１０２からの指令値によって、焦点調節用レンズを駆動してフォーカシングを行う。
１１４（Ａ／Ｍ＿ＳＷ）はフォーカス動作を選択する為のスイッチであり、自動で焦点調節を行う場合にはこのＡ／Ｍ＿ＳＷをＡＵＴＯにする。
【００１２】
前記絞り駆動系１０４は、不図示の絞りを駆動するための絞り駆動系１０７と絞りが開放であるか否かを検出するための開放スイッチ１０８から成り、レンズマイコン１０２からの指令値によって、絞りを設定された位置まで絞るか、または開放状態に復帰させる動作を行う。
前記レンズマイコン１０２は、レンズ内の状態（フォーカス位置，絞り値の状態など）や、レンズに関する情報（開放絞り値，焦点距離，測距演算に必要なデータなど）を前述の通信用の接点を介してカメラ本体２００側に伝達する動作も行う。
【００１３】
前述のレンズマイコン１０２、フォーカス系１０３、絞り系１０４、振れ補正系１０９から、レンズ電気系１０１が構成される。
そして、このレンズ電気系１０１に対しては、電源接点１１５ｄ、グランド接点１１５ｅを通じてカメラ内電源２１３から給電が行われる。
【００１４】
カメラ本体２００内部には、カメラ本体内電気系２０１として、撮像面上から、被写体までのデフォーカス量を測定するための測距部２０３、交換レンズを通ってきた光の量を測定するための測光部２０４、撮像素子（ＣＭＯＳセンサ等）に適当な時間露光するためのシャッタ部２０５、撮像素子部２０６、警告音等を発するための発音部２０７、カメラの各種情報を表示する表示部２０８、ユーザが操作を入力するための入力部２０９、その他の制御部２１０、および、これらの動作開始、停止などの管理、露出演算、測距演算などを行うカメラマイコン２０２が内蔵されている。これらカメラ内電気系２０１に対しても、その電源はカメラ内電源２１３より供給される。
【００１５】
２１１（ＳＷ１）は測光や測距を開始させる為のスイッチであり、２１２（ＳＷ２）はレリーズ動作を開始させる為のスイッチである。これらは一般的には２段ストロークスイッチであって、レリーズボタンの第１ストロークでスイッチＳＷ１がＯＮし、第２ストロークでスイッチＳＷ２がＯＮになるように構成されている。更に、カメラ本体２００内には他に交換レンズ１００との通信を行うための電気接点２１４ａ（クロック信号用）、２１４ｂ（カメラ本体→レンズ信号伝達用）、２１４ｃ（レンズ→カメラ本体信号伝達用）と電源供給を行うための電源接点２１４ｄとグランド接点２１４ｅを備えている。
【００１６】
図２は、図１のレンズマイコン１０２内での具体的な処理動作を示したフローチャートである。
カメラ本体２００側の不図示のメインスイッチをオンするか、或いはカメラ本体に交換レンズを装着することにより、交換レンズ１００に電源供給が開始されステップ１０１より処理を開始する。ステップ１０２ではカメラ本体２００と初期通信を行う。この初期通信によってカメラ本体２００から送られてくる情報の中にはカメラ本体を判別するための情報が含まれておりこの情報は後述のステップ１０６にて用いるので記憶しておく。次にステップ１０３へ進み通常処理を行う。通常処理とはカメラ本体との通信、フォーカスの駆動、絞りの駆動、振れ補正駆動等である。ステップ１０４では、故障が検知されたか否かを判断する。故障が検知された場合にはステップ１０５へ進み、検知されない場合にはステップ１０３へ戻り通常処理を続ける。
【００１７】
ステップ１０５では故障が検知されたのでどのような故障なのかの判別を行う。どの部分の故障なのか、その故障で撮影に及ぼす影響はどのくらいなのかを判別し情報として記憶する。具体的に記憶される情報は１ｂｙｔｅ（８ｂｉｔ）のデータとし、上位４ｂｉｔで故障個所を表し、下位４ｂｉｔで故障の度合いを表すデータとすると良い。次にステップ１０６に進みカメラ本体が故障情報の通信に対応したカメラか否かを判断する。ステップ１０２の初期通信にて得られたカメラ本体の情報から対応したカメラであると判断された場合にはステップ１０８へ進み、ステップ１０８ではステップ１０５にて判別記憶された故障情報をカメラ側へ知らせるため故障情報通信を行う。
【００１８】
また、未対応のカメラである場合にはステップ１０７へと進み、ステップ１０７ではステップ１０５で判別された故障情報より撮影が可能か否かを判断し、撮影が可能ならそのままステップ１１０へ進み処理を終了し、撮影が不可能ならステップ１０９へ進みカメラ本体側へレリーズロック要求を通信する。以上の処理を通してステップ１１０で本発明のレンズマイコン１０２内の処理を終了する。
【００１９】
以上説明したように交換レンズ１００はカメラ本体を判別し、故障情報通信に未対応のカメラにおいては故障の度合いに応じてレリーズロック要求の可否を判定するので、未対応のカメラとの組み合わせにおいても軽度の故障と判定された場合にはレリーズロックを回避できる。また、レリーズロック要求を行う故障の度合いについては予めレンズマイコン１０２内のＲＯＭに記憶させておいても良いし、後でユーザが変更可能なようにＥＥＰＲＯＭ等に記憶させておいても良い。
【００２０】
続いて、カメラマイコン２０２の処理の内容について図３〜図８のフローチャートを用いて説明する。先ず図３のフローチャートについて説明する。
カメラ本体の不図示のメインスイッチをオンすることにより、ステップ２０１より処理を開始する。ステップ２０２では交換レンズと初期通信を行う。ここで行われる初期通信では交換レンズを判別するための情報が含まれており次のステップ２０３にて用いるので記憶しておく。ステップ２０３では交換レンズが故障情報通信に対応しているか否かを判断する。ステップ２０２にて記憶された情報から対応していると判断された場合にはステップ２０４へ進み通常処理を行い、未対応の場合にはステップ２１２に進み通常処理を行う。ここで通常処理とは、測光、測距、表示やレンズとの通信等である。図１中２１１のＳＷ１や２１２のＳＷ２の状態によってＡＦや露光が行われるが詳細については省略する。
【００２１】
次に、ステップ２０３で対応レンズであると判断された場合の処理についてステップ２０５以降を説明する。ステップ２０５では、レンズ側の故障情報を取得するため故障情報通信を行い、ステップ２０６では取得した故障情報からレンズに故障があるか否かを判断する。故障ありと判断された場合はステップ２０７以下のステップにより故障の判別を行いそれぞれにあった動作を行う。故障がないと判断された場合にはステップ２０４へ戻り通常処理を続ける。
【００２２】
以下は故障ありと判断された場合の処理について説明する。ステップ２０７では故障情報より故障Ａであるか否かを判断し、故障Ａと判断されたされた場合にはステップ２０９へ進み、故障Ａに合った処理動作を行う。故障Ａ以外である場合にはステップ２０８へ進み、今度は故障Ｂであるか否かの判断を行う。故障Ｂであればステップ２１０へ進み故障Ｂに合った処理動作を行い、故障Ｂでないと判断された場合には、故障Ｃであると判断し、ステップ２１１で故障Ｃに合った処理動作を行う。以上のように、故障に応じた処理動作を行いカメラマイコン２０２の処理を終了する。
【００２３】
次にステップ２０３にて未対応レンズであると判断された場合の処理についてステップ２１３以降を説明する。ステップ２１３では交換レンズと通信を試みレリーズロック要求があるか否かを判断する。レリーズロック要求があった場合はステップ２１４へ進み、なかった場合にはステップ２１２へ戻り通常処理を行う。ステップ２１４ではユーザの設定によりレンズに故障が起きた場合に撮影を継続するか否かを判断する。撮影を継続する設定となっていればステップ２１２へ戻り通常処理を行い撮影が継続できるように動作する。
【００２４】
撮影を禁止する設定となっている場合にはステップ２１５へ進む。ステップ２１５では、ユーザ設定により発音部による発音が許可されているか否かを判断する。発音が許可されていればステップ２１６へ進み警告音を発音し、許可されていなければ発音は行わずステップ２１７へ進む。ステップ２１６の警告音は予め決められた一定期間のみ発音しても良いし、ユーザが何らかの操作を行うまで発音し続けても良い。ステップ２１７ではレンズが故障したことを表示部へ表示し、ステップ２１８でレリーズロックを行い、ステップ２１９にて処理を終了する。以上、カメラマイコン２０２の処理動作の一部について説明した。
【００２５】
上記のカメラ本体２００によれば、装着されている交換レンズを判別して故障時の動作を切り替えることが出来るので、故障情報通信に対応したレンズでは各故障に対して別々の処理動作を行うことが可能となり、故障情報通信に未対応の交換レンズの場合においても、交換レンズからのレリーズロック要求に対するカメラ側の動作をユーザが選択できるようにしたので、撮影を継続することが可能になり撮影の機会を逃すことが少なくなる。
【００２６】
続いて、交換レンズの故障に対するカメラ側の各動作を説明する。先ず、図３における動作Ａについての詳細な説明を図４のフローチャートを用いて説明する。本実施例において故障Ａは図１の振れ補正系１０９の故障に関するものとしている。ステップ３０１から動作Ａに関する処理をスタートする。ステップ３０２では図１のＳＷ１（２１１）がオンであるか否かを判断する。オンである場合にはステップ３０３へ進みオフの場合にはオンされるまで待つ。ステップ３０３ではユーザの設定によりレンズに故障Ａが起きた場合に撮影を継続するか否かを判断する。撮影を継続する設定である場合にはステップ３１６へ進み図１のＳＷ２（２１２）がオンされるのを待つ。この時、表示部２０８に撮影に支障をきたさない程度に振れ補正系に故障が発生していることを表示させても良い。
【００２７】
撮影を禁止する設定である場合にはステップ３０４に進みユーザ設定にて発音を許可されているか否かを判断する。発音が許可されている場合にはステップ３０５にて警告音を発音し、発音を禁止されている場合には発音を行わずにステップ３０６へ進む。ステップ３０５の警告音は予め決められた一定期間のみ発音しても良いし、ユーザが何らかの操作を行うまで発音し続けても良い。ステップ３０６ではカメラの表示部に例えば“交換レンズの手振れ補正部に故障が発生しました。このまま撮影を続けますか？（Ｙ／Ｎ）”というような警告文の表示を行う。文章はレンズの振れ補正部に故障が発生したことを知らせることができ、ユーザに撮影を行うか否かの問いかけが出来れば良く、文章自体は本実施例に記載のものとは異なっていても良い。
【００２８】
ステップ３０７ではステップ３０６での表示に対するユーザからの入力を待ち、入力があればステップ３０８へ進む。ステップ３０８ではユーザの入力がＹｅｓかＮｏかを判断しＹｅｓならステップ３１０へ進み、Ｎｏならステップ３０９へ進みレリーズロックを行い処理を終了する。ステップ３１０では撮影を継続することをユーザが選択したので、故障の起きた振れ補正部の動作を禁止するために、図１中の防振スイッチ（ＩＳ＿ＳＷ）１１３がオンとなっている場合には表示部に例えば“ＩＳ＿ＳＷをオフしてください。撮影を続けます。”というような警告文を表示し、ステップ３１１でＩＳ＿ＳＷがオフされるのを待つ。
【００２９】
ステップ３１２以降の処理は振れ補正系が故障していても、カメラ振れによる撮影像の劣化を防ぐための処理である。ステップ３１２では露光モードがマニュアルかシャッタースピード優先モードかを判断する。マニュアルモード或いはシャッタースピード優先モードである場合にはユーザが意識的にシャッタースピードを選択しているため、何も処理を行うことなくステップ３１６へ進みＳＷ２がオンとなるのを待つ。マニュアルモード、シャッタースピード優先モード以外ではステップ３１３へ進み、現在のシャッタースピードＴｖと手振れ限界シャッタースピードＴｖｍａｘを比較する。手振れ限界シャッタースピードＴｖｍａｘは一般的には“１／現在の焦点距離”と言われているが、この値とする必要ななく予め独自に決めておいてもよい。また、撮像素子のサイズに応じて変更しても良い。
【００３０】
現在のシャッタースピードＴｖが手振れ限界シャッタースピードＴｖｍａｘよりも速い場合はそのままの設定でステップ３１６へ進みＳＷ２がオンされるのを待つ。遅い場合にはステップ３１４へ進みユーザ設定によりシャッタースピードの変更が許可されているかを判断する。許可されていなければステップ３１６へ進み、許可されていればステップ３１５へ進みシャッタースピードを高速側へ変更する。シャッタースピードを高速側へ変更する方法としては、絞りが開放でなければ開放へする、ＩＳＯ感度の設定を高感度側へ変更する、ストロボが内蔵されていればストロボを発光する、等の方法がある。
ステップ３１６では図１のＳＷ２（２１２）がオンとなるのを待ち、オンであればステップ３１７へ進み露光を行い、ステップ３１８にて処理を終了する。
【００３１】
以上、本実施例の故障Ａである振れ補正系に故障が生じた場合のカメラマイコン２０２の処理について説明した。上記説明によれば、交換レンズの振れ補正系に故障が生じた場合の処理をユーザが切り替えられるようにしたので、振れ補正系が故障しても撮影が継続できるようになる。また、撮影を継続する場合には、シャッタ速度を高速側へシフトする制御を行うのでカメラ振れによる像劣化を最小限に抑えることが可能である。更に、ユーザ設定により振れ補正系が故障しても撮影を許可する設定となっていれば、振れ補正系が故障したとしても何ら撮影を中断することなくそのまま撮影を継続することが可能となるため撮影の機会を逃すことが少なくなる。
【００３２】
続いて、故障Ｂにおける詳細な処理について図５のフローチャートを用いて説明する。本実施例において故障Ｂは図１の絞り系１０４の故障に関するものとしている。
図３のステップ２０８にて故障Ｂであると判定された場合にステップ２１２へ進み、本処理をステップ４０１から開始する。ステップ４０２では故障Ｂ１か否かを判定する。具体的には絞りが絞れない故障の時には故障Ｂ１と判断し、ステップ４０３へ進み動作Ｂ１を実行し、絞りが開放に戻らない故障の時には故障Ｂ２と判定され動作Ｂ２を実行する。
【００３３】
続いて、動作Ｂ１の詳細について図６のフローチャートを用いて説明する。ステップ４０５より処理を開始し、ステップ４０６では図１のＳＷ１（２１１）がオンであるか否かを判断する。オンである場合にはステップ４０７へ進みオフの場合にはオンされるまで待つ。ステップ４０７ではユーザの設定によりレンズに故障Ｂが起きた場合に撮影を継続するか否かを判断する。撮影を継続する設定である場合にはステップ４１８へ進み図１のＳＷ２（２１２）がオンされるのを待つ。この時、表示部２０８に撮影に支障をきたさない程度に絞りに故障が発生していることを表示させても良い。
【００３４】
撮影を禁止する設定である場合にはステップ４０８に進みユーザ設定にて発音を許可されているか否かを判断する。発音が許可されている場合にはステップ４０９にて警告音を発音し、発音を禁止されている場合には発音を行わずにステップ４１０へ進む。ステップ４０９の警告音は予め決められた一定期間のみ発音しても良いし、ユーザが何らかの操作を行うまで発音し続けても良い。ステップ４１０ではカメラの表示部に例えば“交換レンズの絞りに故障が発生しました。絞りが絞れません。このまま撮影を続けますか？（Ｙ／Ｎ）”というような警告文の表示を行う。文章はレンズの絞りに絞れない故障が発生したことを知らせることができ、ユーザに撮影を行うか否かの問いかけが出来れば良く、文章自体は本実施例に記載のものとは異なっていても良い。
【００３５】
ステップ４１１ではステップ４１０での表示に対するユーザからの入力を待ち、入力があればステップ４１２へ進む。ステップ４１２ではユーザの入力がＹｅｓかＮｏかを判断しＹｅｓならステップ４１４へ進み、Ｎｏならステップ４１３へ進みレリーズロックを行い処理を終了する。ステップ４１４では撮影を継続することをユーザが選択したので、絞りが故障していても撮影に影響が少ない撮影モードを選択するために、例えば“マニュアルｏｒ絞り優先モードにしてください。撮影を続けます。”というような警告文を表示し、ステップ４１５では撮影モードがマニュアルまたは絞り優先モードになるのを待つ。
【００３６】
ステップ４１６以降の処理は絞りが絞れない故障を起こしていても、撮影を継続可能にし、尚且つ撮影画像への影響を少なくするための処理である。ステップ４１６では現在の絞りの設定Ａｖ値と開放絞り設定値Ａｖｍｉｎを比較する。現在の絞り設定がＡｖｍｉｎ以外の設定となっている場合にはステップ４１７へ進み絞りの設定を強制的に開放絞り値Ａｖｍｉｎとする。絞り優先モードの場合は測光部２０４による測光結果より自動的にシャッタースピードを決定し設定する。マニュアルモードの場合はユーザが設定したシャッタースピードと開放絞りＡｖｍｉｎとの組み合わせによる露出が測光部２０４による測光結果に対してどのくらいずれているかを表示部２０８へ表示する。ステップ４１８では図１のＳＷ２（２１２）がオンとなるのを待ち、オンであればステップ４１９へ進み露光を行い、ステップ４２０にて処理を終了する。
【００３７】
続いて、絞りが開放に出来ない故障である動作Ｂ２の詳細について図７のフローチャートを用いて説明する。ステップ４２１より処理を開始し、ステップ４２２では図１のＳＷ１（２１１）がオンであるか否かを判断する。オンである場合にはステップ４２３へ進みオフの場合にはオンされるまで待つ。ステップ４２３ではユーザの設定によりレンズに故障Ｂが起きた場合に撮影を継続するか否かを判断する。撮影を継続する設定である場合にはステップ４３４へ進み図１のＳＷ２（２１２）がオンされるのを待つ。この時、表示部２０８に撮影に支障をきたさない程度に絞りに故障が発生していることを表示させても良い。
【００３８】
撮影を禁止する設定である場合にはステップ４２４に進みユーザ設定にて発音を許可されているか否かを判断する。発音が許可されている場合にはステップ４２５にて警告音を発音し、発音を禁止されている場合には発音を行わずにステップ４２６へ進む。ステップ４２５の警告音は予め決められた一定期間のみ発音しても良いし、ユーザが何らかの操作を行うまで発音し続けても良い。
【００３９】
ステップ４２６ではカメラの表示部に例えば“交換レンズの絞りに故障が発生しました。絞りが開放になりません。このまま撮影を続けますか？（Ｙ／Ｎ）”というような警告文の表示を行う。文章はレンズの絞りが開放にならない故障が発生したことを知らせることができ、ユーザに撮影を行うか否かの問いかけが出来れば良く、文章自体は本実施例に記載のものとは異なっていても良い。
【００４０】
ステップ４２７ではステップ４２６での表示に対するユーザからの入力を待ち、入力があればステップ４２８へ進む。ステップ４２８ではユーザの入力がＹｅｓかＮｏかを判断しＹｅｓならステップ４３０へ進み、Ｎｏならステップ４２９へ進みレリーズロックを行い処理を終了する。
ステップ４３０では撮影を継続することをユーザが選択したので、絞りが故障していても撮影に影響が少ない撮影モードを選択するために、例えば“マニュアルｏｒ絞り優先モードにしてください。撮影を続けます。”というような警告文を表示し、ステップ４３１では撮影モードがマニュアルまたは絞り優先モードになるのを待つ。
【００４１】
ステップ４３２以降の処理は絞りが開放にならない故障を起こしていても、撮影を継続可能にし、尚且つ撮影画像への影響を少なくするための処理である。ステップ４３２では測光部２０４にて実絞り測光を実施する。これは絞りが故障しており現在設定されている絞りの設定が正しいとは限らないためである。絞り優先モードの場合は測光結果より自動的にシャッタースピードを決定し設定する。マニュアルモードの場合はユーザが設定したシャッタースピードと絞りとの組み合わせによる露出が測光部２０４による測光結果に対してどのくらいずれているかを表示部２０８へ表示する。ステップ４３３では図１のＳＷ２（２１２）がオンとなるのを待ち、オンであればステップ４３４へ進み露光を行い、ステップ４３５にて処理を終了する。
【００４２】
以上、本実施例の故障Ｂである絞り系に故障が生じた場合のカメラマイコン２０２の処理について説明した。上記説明によれば、交換レンズの絞り系に故障が生じた場合の処理をユーザが切り替えられるようにしたので、絞り系が故障しても撮影が継続できるようになる。また、撮影を継続する場合には、撮影モードを限定し測光モードを切り替えることで最適な露出での露光が可能となる。更に、ユーザ設定により絞り系が故障しても撮影を許可する設定となっていれば、絞り系が故障したとしても何ら撮影を中断することなくそのまま撮影を継続することが可能となるため撮影の機会を逃すことが少なくなる。
【００４３】
続いて、図３における動作Ｃについての詳細な説明を図８のフローチャートを用いて説明する。本実施例において故障Ｃは図１のフォーカス系１０３の故障に関するものとしている。ステップ５０１から動作Ｃに関する処理をスタートする。ステップ５０２では図１のＳＷ１（２１１）がオンであるか否かを判断する。オンである場合にはステップ５０３へ進みオフの場合にはオンされるまで待つ。ステップ５０３ではユーザの設定によりレンズに故障Ｃが起きた場合に撮影を継続するか否かを判断する。撮影を継続する設定である場合にはステップ５１２へ進み図１のＳＷ２（２１２）がオンされるのを待つ。この時、表示部２０８に撮影に支障をきたさない程度にフォーカスに故障が発生していることを表示させても良い。
【００４４】
撮影を禁止する設定である場合にはステップ５０４に進みユーザ設定にて発音を許可されているか否かを判断する。発音が許可されている場合にはステップ５０５にて警告音を発音し、発音を禁止されている場合には発音を行わずにステップ５０６へ進む。ステップ５０５の警告音は予め決められた一定期間のみ発音しても良いし、ユーザが何らかの操作を行うまで発音し続けても良い。ステップ５０６ではカメラの表示部に例えば“交換レンズのフォーカスに故障が発生しました。このまま撮影を続けますか？（Ｙ／Ｎ）”というような警告文の表示を行う。文章はレンズのフォーカス部に故障が発生したことを知らせることができ、ユーザに撮影を行うか否かの問いかけが出来れば良く、文章自体は本実施例に記載のものとは異なっていても良い。
【００４５】
ステップ５０７ではステップ５０６での表示に対するユーザからの入力を待ち、入力があればステップ５０８へ進む。ステップ５０８ではユーザの入力がＹｅｓかＮｏかを判断しＹｅｓならステップ５１０へ進み、Ｎｏならステップ５０９へ進みレリーズロックを行い処理を終了する。ステップ５１０では撮影を継続することをユーザが選択したので、故障の起きたフォーカス部の動作を禁止するために、図１中自動／手動切り替えスイッチ（Ａ／Ｍ＿ＳＷ）１１４が自動（ＡＵＴＯ）となっている場合には表示部に例えば“フォーカスモードをマニュアルにしてください。撮影を続けます。”というような警告文を表示し、ステップ５１１でＡ／Ｍ＿ＳＷがマニュアルにされるのを待つ。ステップ５１２では図１のＳＷ２（２１２）がオンとなるのを待ち、オンであればステップ５１３へ進み露光を行い、ステップ５１４にて処理を終了する。
【００４６】
以上、本実施例の故障Ｃであるフォーカス系に故障が生じた場合のカメラマイコン２０２の処理について説明した。上記説明によれば、交換レンズのフォーカス系に故障が生じた場合の処理をユーザが切り替えられるようにしたので、フォーカス系が故障しても撮影が継続できるようになる。また、撮影を継続する場合には、フォーカスモードをマニュアルに限定することでフォーカスの不具合によるピンぼけを未然に防ぐことが可能となる。更に、ユーザ設定によりフォーカス系が故障しても撮影を許可する設定となっていれば、フォーカス系が故障したとしても何ら撮影を中断することなくそのまま撮影を継続することが可能となるため撮影の機会を逃すことが少なくなる。
【００４７】
以上説明してきたように本実施例におけるカメラ本体では、交換レンズの故障に対してカメラ内の動作を変更することにより、交換レンズの故障による撮影への影響を最小限に抑えることが可能となる。また、各故障に対する動作をユーザ側で設定することが可能なためユーザの意思を反映した交換レンズの故障管理が可能となる。
以上、本発明の好ましい実施例について説明したが、本発明はこれらの実施例に限定されないことはいうまでもなく、その要旨の範囲内で種々の変形および変更が可能である。
【図面の簡単な説明】
【００４８】
【図１】本発明の一実施例に係るカメラシステムの電気的構成を示すブロック図である。
【図２】図１のシステムにおける交換レンズの動作の一部を示すフローチャートである。
【図３】図１のシステムにおけるカメラ本体の動作の一部を示すフローチャートである。
【図４】図３の動作Ａの動作を示すフローチャートである。
【図５】図３の動作Ｂの動作を示すフローチャートである。
【図６】図５の動作Ｂ１の動作を示すフローチャートである。
【図７】図５の動作Ｂ２の動作を示すフローチャートである。
【図８】図３の動作Ｃの動作を示すフローチャートである。
【符号の説明】
【００４９】
１００：交換レンズ
１０１：交換レンズ内電気系
１０２：レンズマイコン
１０３：フォーカス系
１０４：絞り系
１０５：フォーカス駆動系
１０６：位置センサ
１０７：絞り駆動系
１０８：開放スイッチ
１０９：振れ補正系
１１０：振れ補正駆動系
１１１：振れセンサ
１１２：位置センサ
１１３：防振スイッチ
１１４：フォーカスモードスイッチ
１１５ａ〜ｅ：交換レンズ側電気接点
２００：カメラ本体
２０１：カメラ本体内電気系
２０２：カメラマイコン
２０３：測距部
２０４：測光部
２０５：シャッタ部
２０６：撮像素子部
２０７：発音部
２０８：表示部
２０９：入力部
２１０：その他の制御部
２１１：スイッチ１
２１２：スイッチ２
２１３：カメラ本体内電源
２１４ａ〜ｅ：カメラ本体側電気接点
【図１】
2006208741.tif 000003
【図２】
2006208741.tif 000004
【図３】
2006208741.tif 000005
【図４】
2006208741.tif 000006
【図５】
2006208741.tif 000007
【図６】
2006208741.tif 000008
【図７】
2006208741.tif 000009
【図８】
2006208741.tif 000010